(57)【要約】【課題】部品点数を削減することで装置の小型化、低コスト化を実現する。【解決手段】蓋本体部１３ａとその回転軸１３ｃを有する蓋１３と、回転軸１３ｃの軸受け部８ａが配設された機器本体１とからなる。機器本体１に対して蓋１３を閉蓋状態から回転軸まわりに回動させることで開蓋可能に構成する。機器本体１は、蓋１３の全開時に蓋１３が当接する当接部８ｃと、蓋１３が機器本体１と当接した後に蓋１３に更に開く方向に力を作用させると、軸受け部８ａ近傍が蓋１３と同じ回転方向に変形する変形部とを有している。【選択図】図８
2010157431.tif 000002
【特許請求の範囲】
【請求項１】
蓋本体部とその回転軸を有する蓋と、前記回転軸の軸受け部が配設された機器本体とからなり、前記機器本体に対して前記蓋を閉蓋状態から前記回転軸まわりに回動させることで開蓋可能に構成した蓋開閉装置であって、
前記機器本体は、前記蓋の全開時に該蓋が当接する当接部と、
前記蓋が前記機器本体と当接した後に前記蓋に更に開く方向に力を作用させると、前記軸受け部の近傍が前記蓋と同じ回転方向に変形する変形部とを有していることを特徴とする蓋開閉装置。
【請求項２】
前記蓋本体部の一部に、前記回転軸まわりの曲げ剛性を低く設定した架橋部を有することを特徴とする請求項１に記載の蓋開閉装置。
【請求項３】
前記架橋部は、前記当接部と当接する位置に形成されていることを特徴とする請求項２に記載の蓋開閉装置。
【請求項４】
前記蓋が前記機器本体と当接した後に、前記蓋に更に開く方向に力を作用させると、前記変形部が変形し、前記蓋が前記機器本体と略平行となるように密着することを特徴とする請求項１〜３のいずれか１項に記載の蓋開閉装置。
【請求項５】
前記蓋が前記機器本体と当接した後に、前記蓋に更に開く方向に力を作用させると、前記変形部と前記架橋部が変形し、前記蓋が前記機器本体と略平行となるように密着することを特徴とする請求項２又は３に記載の蓋開閉装置。
【請求項６】
閉蓋状態における前記蓋と前記機器本体の外観面は、略面一に構成されていることを特徴とする請求項１〜５のいずれか１項に記載の蓋開閉装置。
【請求項７】
前記蓋が前記回転軸と直交する方向へスライドすることで、その閉蓋状態から開蓋状態へ移行可能にするロック機構を有することを特徴とする請求項１〜６のいずれか１項に記載の蓋開閉装置。
【発明の詳細な説明】
【技術分野】
【０００１】
本発明は、例えば小型のカムコーダ等と称する携帯機器に用いられる電池蓋等の回動可能な蓋開閉装置に関する。
【背景技術】
【０００２】
小型の携帯機器の１つにカムコーダが知られている。カムコーダは、携帯性の観点からバッテリ駆動することが一般的である。このため機器本体にはバッテリを収容するバッテリ収容部と、バッテリ収容部を覆う蓋とが配設されており、通常は閉蓋状態で撮影等の操作が行われる。
【０００３】
また、カムコーダは手に持って操作する装置であり、誤って落としたりぶつけたりする場合が予想される。このため蓋部の機構には堅牢性が要求される。一方で、携帯機器は携帯性向上の観点から、更なる装置の小型化が要求されている。このような蓋開閉装置において、例えば特許文献１に示す技術が開示されている。
【０００４】
【特許文献１】特許第３９９３０４２号公報
【発明の開示】
【発明が解決しようとする課題】
【０００５】
特許文献１に係る従来例を図１０、図１１及び図１２に示す。図１０は従来例において閉蓋状態を示す図、図１１は蓋が通常に開かれた状態を示す図、図１２は蓋が過剰に開かれた状態を示す図である。図示したように従来例においては、蓋部材８１が回動中心軸９２を回転軸として回動することで、閉蓋状態からバッテリＢが露出した開蓋状態へ移行する。
【０００６】
ここで図１１中、開いた蓋部材８１に対して更に力Ｆ１が作用すると、蓋部材８１は縁部１０４ａを支点として反時計方向に回動しようする。蓋部材８１が反時計方向に回動すると、図１２に示すように回動中心軸モジュール９０がＸ１方向に引かれて、Ｘ１方向に移動される。このとき回動中心軸モジュール９０に設けられた圧縮コイルバネ９３が、図示のように圧縮される。なお、回動中心軸モジュール９０の構造については、上記従来例中に詳述されているため、説明は省略する。
【０００７】
その後、蓋部材８１は、ケーシング本体６４の側面１０６に当る状態まで過剰に開かれる。この状態となると、力Ｆ１はケーシング本体６４の側面１０６によって受け止められ、蓋部材８１はそれ以上は回動しなくなる。また、図１２に示す状態で力Ｆ１が作用しなくなると、圧縮コイルばね９３のばね力によって、回動中心軸モジュール９０がＸ２方向に移動されて回動中心軸９２が凹み部分１０７（図１０（ａ））内に引き込まれることで、蓋部材８１は閉じる方向に回動される。
【０００８】
上述した構成により、従来例では蓋部材８１が開かれた状態で誤って落としたり、ぶつけたりする場合に対する堅牢性を確保している。しかしながら、上記従来例においては回転中心軸モジュール９０を構成する部品と、該部品を収容するスペースが必要である。このため装置本体の大型化、高コスト化を余儀なくされざるを得なかった。
【０００９】
本発明は上記問題を解決するためのものであり、従来例と比較し、部品点数を削減することで装置の小型化、低コスト化を実現する蓋開閉装置を提供する。
【課題を解決するための手段】
【００１０】
上記課題を解決するために本発明の蓋開閉装置は、蓋本体部とその回転軸を有する蓋と、前記回転軸の軸受け部が配設された機器本体とからなり、前記機器本体に対して前記蓋を閉蓋状態から前記回転軸まわりに回動させることで開蓋可能に構成した蓋開閉装置であって、前記機器本体は、前記蓋の全開時に該蓋が当接する当接部と、前記蓋が前記機器本体と当接した後に前記蓋に更に開く方向に力を作用させると、前記軸受け部の近傍が前記蓋と同じ回転方向に変形する変形部とを有していることを特徴とする。
【００１１】
また、本発明の蓋開閉装置において、前記蓋本体部の一部に、前記回転軸まわりの曲げ剛性を低く設定した架橋部を有することを特徴とする。
【００１２】
また、本発明の蓋開閉装置において、前記架橋部は、前記当接部と当接する位置に形成されていることを特徴とする。
【００１３】
また、本発明の蓋開閉装置において、前記蓋が前記機器本体と当接した後に、前記蓋に更に開く方向に力を作用させると、前記変形部が変形し、前記蓋が前記機器本体と略平行となるように密着することを特徴とする。
【００１４】
また、本発明の蓋開閉装置において、前記蓋が前記機器本体と当接した後に、前記蓋に更に開く方向に力を作用させると、前記変形部と前記架橋部が変形し、前記蓋が前記機器本体と略平行となるように密着することを特徴とする。
【００１５】
また、本発明の蓋開閉装置において、閉蓋状態における前記蓋と前記機器本体の外観面は、略面一に構成されていることを特徴とする。
【００１６】
また、本発明の蓋開閉装置において、前記蓋が前記回転軸と直交する方向へスライドすることで、その閉蓋状態から開蓋状態へ移行可能にするロック機構を有することを特徴とする。
【発明の効果】
【００１７】
本発明によれば、機器本体の軸受け部近傍が変形することで、過剰な力が作用した際に更なる回動動作を可能にする。本発明における変形部は、例えばモールドで形成された外装部品や、外装部品を固定するための板金部品の少なくとも一部を弾性変形可能に構成することで形成する。このため従来例と比較し、蓋開閉装置を構成する部品が削減され、装置の小型化、低コスト化が実現する。
【００１８】
また、蓋に回転軸まわりの曲げ剛性が低い架橋部を設けることで、機器本体の変形部と架橋部の双方が変形可能に構成される。これにより変形部のみの変形で回動する場合と比較し、更なる回動量を確保することが可能であり、装置の堅牢性が向上する。また、回動量を増加させない場合は、変形部の変形量を低減することが可能なため、変形部の小型化が実現可能である。
【００１９】
また、閉蓋状態における蓋と機器本体の外観面を略面一に構成することで、デザイン性の向上が実現可能である。
また、蓋には、閉蓋状態において回転軸と直交する方向へスライドすることで、開蓋状態へ回動可能となるロック機構を有することで、操作性が向上する。また、回転軸と直交する方向へ蓋がスライドすることで、回動動作を行う際の回転中心が機器本体の当接部から離間する。これによりスライドしない場合と比較し、蓋が当接部へ当接するまでの回動量をより多く確保することが可能となる。このため変形部の変形量の低減が可能となるため、変形部の小型化が実現可能である。
【発明を実施するための最良の形態】
【００２０】
以下、図面を参照して本発明による蓋開閉装置の好適な実施の形態を説明する。なお、本実施形態において、本発明の蓋開閉装置をビデオカメラのバッテリカバーに適用した例とする。
先ずここで、主に図１及び図２により本実施形態に係るビデオカメラの全体構成について説明する。図１は、本実施形態におけるビデオカメラを上面側から見た外観を示す斜視図であり、（ａ）はレンズの光軸先端側から見た図、（ｂ）は背面側から見た図である。図２は本ビデオカメラを底面側から見た外観を示す斜視図であり、（ａ）は後述するバッテリカバーが閉じた状態を示す図、（ｂ）はバッテリカバーが開いた状態を示す図である。
なお、以下の説明における各図の要所において、カメラ光軸の前方側及び後方側を矢印Ｆｒ及びＲｒによりそれぞれ示す。また、後述する左側及び右側を矢印Ｌｔ及びＲｔによりそれぞれ示すものとする。
【００２１】
図において、１は機器本体、この例ではビデオカメラの本体、２は撮影を行うためのレンズ部、３は記録中の画像を表示するための表示部、４はビデオカメラの電源スイッチ、５は記録を開始するためのトリガーボタンである。６はレンズ部２の光軸先端側からみて本体１の左側面を覆う外装部品であるＬカバー、７は右側面を覆うＲカバー、８は底面を覆うボトムカバーである。９は本体１に設けられた、バッテリ１０（図２（ｂ））を収容するためのバッテリ収容部、１１はバッテリ１０が挿入された状態で本体１からの脱却を防止するためのバッテリイジェクトノブである。１２は記録媒体であるＳＤカードを挿入するためのＳＤカードスロット、１３はバッテリ収容部９を開閉自在に覆うバッテリカバーである。後述するようにバッテリカバー１３はその回転軸１３ｃのまわりに回動することで開蓋可能に構成されている。
【００２２】
電源スイッチ４を押すことで本体１に電源が投入され、トリガーボタン５を押すと、レンズ部２を介して撮影が開始される。撮影された記録情報はこのとき、本体１内に配設されたＨＤＤやメモリといった記録媒体（図示せず）か、ＳＤカードスロット１２に挿入されたＳＤカードに記録される。一方、表示部３には記録中の画像が表示され、操作者は該画像を確認しながら、図示しないズームレバーなどを操作することで好適に撮影することが可能である。
【００２３】
次に本発明の蓋開閉機構であるバッテリカバーまわりの構造を詳細に説明する。
図３Ａ〜図３Ｄはバッテリカバーまわりの構造を説明するための斜視図であり、図３Ａは分解状態を、図３Ｂは組立て途中の状態を、図３Ｃ及び図３Ｄは組立てが完了した状態を示している。なお、図３Ａ〜３Ｄにおいては、説明に要する部品のみを抜粋して示している。
【００２４】
バッテリカバー１３には蓋本体部１３ａと架橋部１３ｂと回転軸１３ｃとが一体で形成されている。なお、本実施形態における架橋部１３ｂは図示したように、回転軸１３ｃ方向である幅方向において蓋本体部１３ａよりも短く構成している。これにより回転軸１３ｃまわりにおける曲げ剛性を低く設定している。このように架橋部１３ｂの幅方向長さを短くした分、回転軸１３ｃの回転方向には曲がり易くなっている。ボトムカバー８には、バッテリカバー１３の回転軸１３ｃが搭載される略Ｕ字形状（回転軸１３ｃ方向に見るものとする）の軸受け部８ａが形成されている。軸受け部８ａに回転軸１３ｃを載置し、開閉バネ１６の付勢部１６ａが回転軸１３ｃと当接するように開閉バネ１６をボトムカバー８に固定する。これによりバッテリカバー１３はボトムカバー８に対して回動可能に支持される。
【００２５】
次に略Ｌ字形状に形成されたボトムプレート１４をボトムカバー８に固定する。これにより図３Ｂの状態となる。なお、ボトムプレート１４は本体１の底面側の強度向上や電気的なＧＮＤ確保のために搭載している。
【００２６】
一方、バッテリ収容部９には、図１において示した電源スイッチ４や、ＳＤカードスロット１２等の電気部品と電気的なＧＮＤを確保するためにバッテリプレート１５が固定されている。バッテリプレート１５には、光軸と垂直な平面内であり、且つ底面と平行に折曲げの稜線が形成されるようにＬ字形状に曲げられたＬ曲げ部１５ａが形成されている。また、Ｌ曲げ部１５ａの先端側には雌ネジ部が形成されている。
【００２７】
バッテリ収容部９を図３Ｂに示した状態であるボトムカバー８に搭載することで、Ｌ曲げ部１５ａはボトムプレート１４の一部に板バネ状に形成された先端部１４ａと当接する。このときＬ曲げ部１５ａの雌ネジ部と略同心円となるように、先端部１４ａには孔部が形成されている。次に、図３Ａの矢印Ａに示す方向からビス締めを行う。これによりボトムカバー８とバッテリ収容部９が固定されると共に、ボトムプレート１４とバッテリプレート１５の電気的な導通が確保される。
【００２８】
次にＬカバー６の組立て構造について、図３に加えて図４及び図５を用いて説明する。図４はバッテリ収容部９を底面側から見た斜視図、図５（ａ）は図３ＤにおけるＢ−Ｂ断面図、図５（ｂ）はＥ−Ｅ断面図である。Ｂ−Ｂ断面は、後述するＬカバー６に設けられた凸部６ａを通り、光軸と垂直な平面における断面を示したものである。
【００２９】
図３Ａに示すように、Ｌカバー６のバッテリ収容部９側端部には、凸部６ａが一体で形成されている。一方、図４に示すようにバッテリ収容部９には凹部９ａが形成され、Ｌカバー６を組み付けることで、図５に示すように凸部６ａと凹部９ａが係合するように構成されている。かかる形状で構成することで、Ｌカバー６とバッテリ収容部９は、図５の矢印Ｃ方向であるＬカバーの脱却方向には固定されるが、矢印Ｄ方向には変位可能に支持される。
【００３０】
また、図３Ａ及び図５（ｂ）に示すように、Ｌカバー６の光軸方向端面には外側レール部６ｂが形成されている。一方、外側レール部６ｂに対向するボトムカバー８の端部には、内側レール部８ｂが形成されている。Ｌカバー６を、上述したバッテリ収容部９に係合させると共に、ボトムカバー８に対しては、図３Ａの矢印Ｆに示す箇所からビス締めを行うことで固定する。
【００３１】
以上の説明から明らかなように、Ｒカバー７側におけるボトムカバー８の軸受け部８ａ近傍ではボトムカバー８は、ボトムプレート１４の先端部１４ａを介してバッテリプレート１５のＬ曲げ部１５ａにビス締め固定されている。本実施形態では、上述したような形状とすることで、ボトムカバー８、ボトムプレート１４の先端部１４ａと、バッテリプレート１５のＬ曲げ部１５ａは各々回転軸１３ｃ中心で弾性変形可能に構成している。
【００３２】
なお、バッテリプレート１５は電気的な導通確保のみが要求される部品であるため、変形容易な薄い板金で形成し、強度も必要なボトムプレート１４をより厚い板金で構成し、その先端部１４ａの弾性とボトムカバー８の弾性のみを用いることも可能である。
一方、Ｌカバー６側におけるボトムカバー８の軸受け部８ａ近傍では、Ｌカバー６の凸部６ａとバッテリー収容部９の凹部９ａの係合によって、Ｌカバー６の外側レール部６ｂを介してボトムバー８の内側レール部８ｂが係止されている。このためボトムカバー８の軸受け部８ａに、底面から垂直方向外側に力が作用した場合には、ボトムカバー８の変形が可能となるように構成されている。
【００３３】
なお、本実施形態においてＲカバー７は、光軸方向先端側においてボトムカバー８と、光軸方向後端側についてはバッテリ収容部９に対してビス締め固定されている。これにより回転軸１３ｃ近傍においては、ボトムカバー８はＲカバー７に対しても底面から垂直方向外側に変形可能に構成されている。
【００３４】
次に本発明のバッテリカバー１３の開閉動作について、図６〜図８を用いて詳述する。
図６は本実施形態における本体１のバッテリカバー１３が閉じた状態を、図７はロックを外すためにバッテリカバー１３を本体１の背面側（Ｒｒ方向）にスライドさせた状態を、図８は回動によって開いた状態をそれぞれ示している。また、図６（ａ）、図７、図８（ａ）は、回転軸１３ｃの端面を通り、回転軸１３ｃと垂直な平面における断面図（図３Ｄに示すＬ−Ｌ断面図）である。また、図６（ｂ）、図８（ｂ）は、光軸を通り、回転軸１３ｃと垂直な平面における断面図（図３Ｄに示すＭ−Ｍ断面図）である。
【００３５】
閉蓋状態では図６（ａ）に示すように、回転軸１３ｃは軸受け部８ａの光軸方向先端側（Ｆｒ方向）端面と、開閉バネ１６の付勢部１６ａに形成された円筒面１６ｂとの間に位置している。また、図２に示す爪部１３ｄと、爪挿入部１７が係合している。この開閉バネ１６と爪部１３ｄの係合によって、バッテリカバー１３はロックされている。このロック機構は後述するように、バッテリカバー１３をその閉蓋状態から開蓋状態へ移行可能にする。また、図６（ｂ）に示すようにボトムカバー８と、バッテリカバー１３の外装面あるいは外観面は略面一に形成されている。
【００３６】
次に図６（ａ）の矢印Ｇ方向、即ち回転軸１３ｃと直交する方向にバッテリカバー１３をスライドさせる。これにより回転軸１３ｃが開閉バネ１６の円筒面１６ｂを押しのけながら乗越し移動するため、回転軸１３ｃに反力が発生し、操作者に良好なクリック感を与える。図７に示すようにスライドが完了すると回転軸１３ｃは、軸受け部８ａの光軸方向後端側端面と、開閉バネ１６の円筒面１６ｂとの間に位置し、爪部１３ｄは爪挿入部１７から完全に離脱する。
【００３７】
図７の状態において、バッテリカバー１３に対して矢印Ｈ方向に力を作用させることで、バッテリカバー１３は回転軸１３ｃまわりで回動する。その後、ボトムカバー８の当接部８ｃに、バッテリカバー１３の架橋部１３ｂが当接する。これにより図８に示す全開時の開蓋状態へと移行する。なお、このとき開閉バネ１６の円筒面１６ｂによって、回転軸１３ｃに付勢力を作用させることも可能である。これによりバッテリカバー１３の回動動作に負荷を与えることができるため、操作者に好適な操作感を与えることが可能となる。
【００３８】
また、仮にスライドする前の位置（図６の位置）において当接部８ｃに当接するまでバッテリカバー１３を回動させる場合と比較すると、図８に示す位置においては、当接部８ｃに当接するまでのバッテリカバー１３の回動量を拡大することが可能である。これにより操作者側から見てバッテリ収容部９が大きく開放されるので、バッテリ１０の着脱の際の視認性が良くなり、操作性の向上が実現する。また、後述する力Ｊが作用した場合に、バッテリカバー１３の蓋本体部１３ａがボトムカバー８に当接するまでの距離が低減される。このため要求されるバッテリカバー１３やボトムカバー８の変形量の低減が可能となる。
【００３９】
その後、バッテリイジェクトノブ１１を回動させ、バッテリ収容部９からバッテリ１０の取出し、又はバッテリ収容部９へのバッテリ１０の挿入を行う。
【００４０】
ここで、従来例と同様に図８に示すように力Ｊが更に作用した場合について、図９に示す模式図を用いて詳述する。
矢印Ｊ方向に更に力が作用すると、図８（ｂ）に示すように回転軸１３ｃには、当接部８ｃ近傍を回転中心として回動させようとする力Ｋが発生する。しかしながら、上述した構成により本実施形態のボトムカバー８の軸受け部８ａ近傍は、力Ｋ方向に変形が可能である、即ちこの部位が変形部として機能する。このため図９に示す模式図のように変形することで、バッテリカバー１３に発生する応力を吸収することが可能である。
【００４１】
また、架橋部１３ｂは、前述したように回転軸１３ｃまわりにおける曲げ剛性が低いため、架橋部１３ｂも図９に示したように変形が可能である。このためバッテリカバー１３に発生する応力を更に吸収することが可能である。典型的には上記の場合と同様に、図示のようにバッテリカバー１３がボトムカバー８と略平行となるように密着する.
【００４２】
仮にボトムカバー８を変形不能に構成すると、上述した応力を吸収するために、架橋部１３ｂの肉厚を薄くするか、長手方向の長さの延長が必要となる。しかしながら、肉厚の薄型化はそのままではバッテリカバー１３自身の堅牢性の低下を招き、長手方向の延長は装置の大型化を招く。
【００４３】
以上詳述した通り本発明によれば、容易な構成で大型化することなく、蓋開閉装置の堅牢性を確保することが可能となる。
また、上述したようにスライドすることで回動量を拡大したため、バッテリカバー１３がボトムカバー８と略平行になるまでに要する変形量を低減することが可能となる。
また、本実施形態においては、底面側から見た投影面内において、ＳＤカードスロット１２の挿入口は、バッテリ収容部９よりも光軸方向前方、且つ閉蓋状態の架橋部１３ｂに内包される位置に配置している。これによりバッテリカバー１３の蓋本体部１３ａに対して、架橋部１３ｂの回転軸１３ｃ方向の長さを短くすることが可能となり、回転軸１３ｃまわりでの曲げ剛性の低減が容易に実現される。
【００４４】
なお、本発明は上記従来の構成にのみ限定されるものではない。例えばバッテリカバー１３に架橋部を形成せず、全てボトムカバー８の軸受け部８ａ近傍が変形するように構成することも可能である。
また、スライド動作によるロック解除ではなく、別部品などによるロック機構を用いることも可能である。
また、本発明をバッテリカバー以外に適用することや、例えばデジタルカメラや、携帯電話、携帯テレビ等のビデオカメラ以外の用途に適用することも可能である。
また、本体１の内部に記録媒体としてHDDを内蔵することや、搬出可能な記録媒体としてコンパクトフラッシュ（登録商標）といったその他の記録媒体を用いることも可能である。更に、内蔵された記録媒体のみや、搬出可能な記録媒体のみを用いることも可能である。
【図面の簡単な説明】
【００４５】
【図１】本発明の実施形態におけるビデオカメラの上面側からみた斜視図である。
【図２】本発明の実施形態におけるビデオカメラの底面側からみた斜視図である。
【図３Ａ】本発明の実施形態における蓋開閉装置の構造を説明する分解状態の斜視図である。
【図３Ｂ】本発明の実施形態における蓋開閉装置の構造を説明する組立て途中状態の斜視図である。
【図３Ｃ】本発明の実施形態における蓋開閉装置の構造を説明する組立て完了状態の斜視図である。
【図３Ｄ】本発明の実施形態における蓋開閉装置の構造を説明する組立て完了状態の平面図である。
【図４】本発明の実施形態におけるバッテリ収容部の底面側から見た斜視図である。
【図５】（ａ）は図３ＤのＢ−Ｂ線に沿う断面図、（ｂ）は図３ＤのＥ−Ｅ線に沿う断面図である。
【図６】本発明の実施形態における蓋開閉装置の閉蓋状態を示す回転軸と垂直な平面における断面図である。
【図７】本発明の実施形態における蓋開閉装置のスライド状態を示す回転軸と垂直な平面における断面図である。
【図８】本発明の実施形態における蓋開閉装置の開蓋状態を示す回転軸と垂直な平面における断面図である。
【図９】本発明の実施形態における蓋開閉装置の開蓋状態にさらに力を作用させた状態を示す模式図である。
【図１０】従来技術における蓋開閉装置の閉蓋状態を示す図である。
【図１１】従来技術における蓋開閉装置の開蓋状態を示す図である。
【図１２】従来技術における蓋開閉装置の開蓋状態からさらに力を作用させた状態を示す図である。
【符号の説明】
【００４６】
１  本体
２  レンズ部
３  表示部
４  電源スイッチ
５  トリガーボタン
６  Ｌカバー
６ａ  凸部
６ｂ  外側レール部
７  Ｒカバー
８  ボトムカバー
８ａ  軸受け部
８ｂ  内側レール部
８ｃ  当接部
９  バッテリ収容部
１０  バッテリ
１１  バッテリイジェクトノブ
１２  ＳＤカードスロット
１３  バッテリカバー
１３ａ  蓋本体部
１３ｂ  架橋部
１３ｃ  回転軸
１３ｄ  爪部
１４  ボトムプレート
１４ａ  先端部
１５  バッテリプレート
１６  開閉バネ
１６ａ  付勢部
１６ｂ  円筒面
１７  爪挿入部
【図１】
2010157431.tif 000003
【図２】
2010157431.tif 000004
【図３Ａ】
2010157431.tif 000005
【図３Ｂ】
2010157431.tif 000006
【図３Ｃ】
2010157431.tif 000007
【図３Ｄ】
2010157431.tif 000008
【図４】
2010157431.tif 000009
【図５】
2010157431.tif 000010
【図６】
2010157431.tif 000011
【図７】
2010157431.tif 000012
【図８】
2010157431.tif 000013
【図９】
2010157431.tif 000014
【図１０】
2010157431.tif 000015
【図１１】
2010157431.tif 000016
【図１２】
2010157431.tif 000017